(57)【要約】      （修正有）【課題】カバーテープの剥離の際にキャリアテープ及びカバーテープに付着した紙繊維が突出部に付着することを防止できる。従って、カバーテープのキャリアテープからの剥離が円滑になされ、電子部品の吸着ミスを防止できるようにする。【解決手段】部品を等間隔に収納し長手方向両縁に所定の間隔を有して接着部を形成したキャリアテープ３とキャリアテープ３の接着部に接着したカバーテープ４と、キャリアテープ３を間欠的に送る駆動手段５と、キャリアテープ３からカバーテープ４を巻き取る巻き取り手段６とを備えたテーピング部品供給装置１において、剥離手段７は、キャリアテープ３からカバーテープ４を分離するエッジ部とエッジ部とキャリアテープ送り方向に間隙を有して設けられエッジ部との対向縁に前記キャリアテープの接着部の間隔よりも短い長さの直線部を形成した突出部とを備えた構成。【選択図】図１
2006245349.tif 000002
【特許請求の範囲】
【請求項１】
部品を等間隔に収納し長手方向両縁に所定の間隔を有して接着部を形成したキャリアテープとキャリアテープの接着部に接着したカバーテープと、キャリアテープを間欠的に送る駆動手段と、キャリアテープからカバーテープを分離する剥離手段と、キャリアテープから分離したカバーテープを巻き取る巻き取り手段とを備えたテーピング部品供給装置において、前記剥離手段はキャリアテープからカバーテープを分離するエッジ部とエッジ部とキャリアテープ送り方向に間隙を有して設けられ前記エッジ部との対向縁に前記キャリアテープの接着部の間隔よりも短い長さの直線部を形成した突出部とを備えたことを特徴とする電子部品供給装置。
【発明の詳細な説明】
【技術分野】
【０００１】
この発明は、テープフィーダ等の電子部品供給装置に関し、電子部品を格納凹部に収納したキャリアテープからカバーテープが剥離される際に付着するキャリアテープの紙繊維によるカバーテープの剥離ミスを防止することができる電子部品供給装置に関する。
【背景技術】
【０００２】
特許文献１に示す電子部品供給装置には、カバーテープ（トップテープ）をキャリアテープから分離する手段としてテープガイドに設けたスリットにカバーテープを挿入しスリットを構成する一対のスリット端面においてカバーテープをキャリアテープから剥離する技術が記載されている。
【０００３】
このスリット端面はキャリアテープ送り方向側（送り方向下流側）のスリット端面がキャリアテープの電子部品移動軌跡上に中心を持つ任意の曲率の円弧形状に形成することで、電子部品吸着時のキャリアテープ内の電子部品を押え、格納凹部内での回転や立ち上がり等の防止と円滑なカバーテープ剥離がなされるよう構成されている。
【０００４】
【特許文献１】特開平１１−５４９８９号公報
【発明の開示】
【発明が解決しようとする課題】
【０００５】
しかしながら、キャリアテープの縁部両側にはカバーテープを貼着する接着部が形成されているため、キャリアテープからカバーテープが剥離される際にカバーテープの縁部両側に沿ってキャリアテープの上面の一部が剥ぎ取られ、カバーテープの下面とキャリアテープの上面のそれぞれに長さ方向に沿って紙繊維が付着する。
【０００６】
従来例のスリット端面のうち、キャリアテープ送り方向側のスリット端面は円弧形状に形成されている。このため円弧部左右両端部とこれと対向するもう一方の直線状のスリット端面との間隔を広く取れず、カバーテープの剥離の際に円弧形状のスリット端面両端部に前記紙繊維が付着する。この剥離動作が繰り返されることによって、付着した紙繊維が成長し、スリット間隔を一層狭くしてカバーテープの巻き取り動作に支障が生じる。例えば、カバーテープの巻取り力を強くするとカバーテープが切断されたり、反対に巻き取り力がテープの送り力に比べて弱くなった場合にはカバーテープがテープガイド下面にもぐり込んで剥離できず、いずれにしてもカバーテープのキャリアテープからの円滑な剥離がなされず電子部品を吸着できないおそれがあった。
【課題を解決するための手段】
【０００７】
上記課題を解決するために、請求項１に記載の発明は、部品を等間隔に収納し長手方向両縁に所定の間隔を有して接着部を形成したキャリアテープとキャリアテープの接着部に接着したカバーテープと、キャリアテープを間欠的に送る駆動手段と、キャリアテープからカバーテープを分離する剥離手段と、キャリアテープから分離したカバーテープを巻き取る巻き取り手段とを備えたテーピング部品供給装置において、前記剥離手段はキャリアテープからカバーテープを分離するエッジ部と、エッジ部とキャリアテープ送り方向に間隙を有して設けられ前記エッジ部との対向縁に前記キャリアテープの接着部の間隔よりも短い長さの直線部を形成した突出部とを備えた。
【発明の効果】
【０００８】
請求項１に記載の発明によれば、カバーテープの剥離時に電子部品のキャリアテープからの飛び出しを防止するための突出部のエッジ部との対向縁にキャリアテープの接着部の間隔よりも短い長さの直線部を形成した突出部を形成した構成なので、カバーテープの剥離の際にキャリアテープ及びカバーテープに付着した紙繊維が突出部に付着することを防止できる。
【０００９】
従って、カバーテープのキャリアテープからの剥離が円滑になされ、電子部品の吸着ミスを防止できるという効果がある。
【発明を実施するための最良の形態】
【００１０】
この発明の実施の形態の例について、図面を参照しながら以下に詳細に説明する。
【００１１】
この発明の部品供給装置１は、図１に示すようにフィーダバンク本体（不図示）に取外し自在にセットされると共に部品搬送テープＡが巻かれるリール２と、キャリアテープ３とカバーテープ４とから構成される部品搬送テープＡを搬送方向に送り出すテープ送り機構５と、カバーテープ４をキャリアテープ３から引き剥がして回収する回収リール６とを備えている。
【００１２】
このキャリアテープ３は、図２に示すように一定のピッチで形成された収納室３Ａに方向を一定に揃えた電子部品Ｐが１個ずつ収納され、移動や脱落が生じないようカバーテープ４がキャリアテープ３の長手方向両側に所定の間隔Ｌをあけて形成した接着部３Ｂ、３Ｂで接着されている。
【００１３】
この部品供給装置１は、送り機構５によってリール２に巻かれた状態の部品搬送テープＡを搬送方向（図１実線矢印方向）に送り出し、その搬送の途中でキャリアテープ３からカバーテープ４を回収リール６に巻き取ることで剥離する。剥離されたカバーテープ４は、回収リール６に巻き取ることで剥離する。剥離されたカバーテープ４は、回収リール６に順次巻かれることにより回収リール６に回収される。尚、キャリアテープ３は図１の鎖線矢印に示すように部品供給装置１の下方に搬送されて部品供給装置１の外部へ排出される。
【００１４】
剥離手段７は、テープ送り機構の上方に配置され、図３に示すように先端にカバーテープ４を分離し剥ぎ取る直線状のエッジ部８と、このエッジ部８とキャリアテープ３の送り方向にカバーテープ４が通るスリットSの間隙Wを隔てて、電子部品Pが露呈したキャリアテープ３を保護する突出部９とから構成されている。そしてこの突出部９は先端にテープ送り方向に直交する直線部９Aが形成され、直線部９Aの幅Hは前記キャリアテープ３の接着部３B、３Bの間隔Lよりも短い長さに形成されている。
【００１５】
尚、突出部９の縁端面部は面取り加工がなされ、又両角部には所定の曲率で面取り加工（R仕上げ）がなされ、電子部品が接触した場合の負荷を緩和すると共に電子部品の引っ掛かりを防止している。
【００１６】
次にこの発明の最良の形態に係る部品供給装置の動作を説明する。
キャリアテープ３は、図２に示すように、カバーテープ４により覆われた状態でリール２からスリットSまで送られる。そして、図４に示すようにエッジ部８によって、カバーテープ４が剥離されると共に、カバーテープ４が剥離された後のキャリアテープ３はピックアップ位置へピッチ送りされる。
【００１７】
一方、カバーテープ４はエッジ部８に折り返されて回収リール６に巻き取られる。この際突出部９は幅Hがキャリアテープ３の接着部３B、３B間の間隔Lよりも短い長さに形成されているので、カバーテープ４がキャリアテープ３から剥離される際にカバーテープ４の両縁に多量に付着したキャリアテープ３の紙繊維が突出部９の直線部９Aに付着することが防止できる。
【００１８】
図５はこの発明の第２の実施の形態を示すもので、突出部９の左右の縁部９Bは図に示すようにキャリアテープ３の送り方向（図中矢印方向）に向かって末広がりとなるよう傾斜縁部９Cにすることにより突出部９の直線部９Aの幅Hを更に短い長さにしてもカバーテープ剥離時の電子部品の回転、立ち上がりを防止できるので、剥離時の紙繊維の突出部への付着範囲を更に減少することが可能となる。
【図面の簡単な説明】
【００１９】
【図１】本発明に係る一実施形態の部品供給装置の斜視図
【図２】上記部品供給装置の剥離手段の要部斜視図
【図３】剥離手段の要部上面図
【図４】剥離手段による剥離状態の説明図
【図５】剥離手段の他の実施形態を示す要部上面図
【符号の説明】
【００２０】
１    電子部品供給装置
３    キャリアテープ
３Ｂ  接着部
４    カバーテープ
５    駆動手段
７    剥離手段
８    エッジ部
９    突出部
９Ａ  直線部
【図１】
2006245349.tif 000003
【図２】
2006245349.tif 000004
【図３】
2006245349.tif 000005
【図４】
2006245349.tif 000006
【図５】
2006245349.tif 000007